(57)【要約】【課題】抵抗値の安定した抵抗をタグに採用して確実な作動を行え、かつタグを低コストで製作できる盗難防止装置を提供する。【解決手段】コントローラー１に接続線２ａ、２ｂを介してタグ３を接続し、コントローラー１にタグ３の抵抗の変化を検出する判定回路７を設け、タグ３が対象品に貼着するラベル３とラベル９を取り替え可能に保持するラベルホルダー１０とからなるものであって、ラベル９がラベル配線部１２に複数のラベル端子１６ａ、１６ｂ、１６ｃ、１６ｄとラベル端子間を導通するラベル導線１７ａ、１７ｂを有するとともに、ラベル３に作用する所定力でラベル導線１７ａ、１７ｂが破断するラベル破断部１４を有し、ラベルホルダー１０が接続線２ａ、２ｂに接続したホルダー配線部１２にホルダー抵抗１９と各ラベル端子１６ａ、１６ｂ、１６ｃ、１６ｄに接続する複数のホルダー端子２０ａ、２０ｂ、２０ｃ、２０ｄとを有し、ラベル導線の導通・非導通の状態変化によって判定回路７に与えるホルダー配線部１８の回路抵抗が変化する。【選択図】　　図１
2004139285.tif 000002
【特許請求の範囲】
【請求項１】
コントローラーに接続線を介してタグを接続する繋留式の盗難防止装置において、コントローラーがタグの抵抗の変化を検出する判定回路を有し、タグが対象品に貼着するラベルとラベルを取り替え可能に保持するラベルホルダーとからなり、ラベルがラベル配線部に複数のラベル端子とラベル端子間を導通するラベル導線を有するとともに、ラベルに作用する所定力でラベル導線が破断するラベル破断部を有し、ラベルホルダーが接続線に接続したホルダー配線部にホルダー抵抗と各ラベル端子に接続する複数のホルダー端子とを有し、ラベル導線の導通・非導通の状態変化によって判定回路に与えるホルダー配線部の回路抵抗が変化することを特徴とする盗難防止装置。
【請求項２】
タグが対象品に貼着するラベルとラベルを取り替え可能に保持するラベルホルダーとからなり、ラベルホルダーにコントローラーを収めてなる自鳴式の盗難防止装置において、コントローラーがタグの抵抗の変化を検出する判定回路を有し、ラベルがラベル配線部に複数のラベル端子とラベル端子間を導通するラベル導線を有するとともに、ラベルに作用する所定力でラベル導線が破断するラベル破断部を有し、ラベルホルダーがコントローラと接続するホルダー配線部にホルダー抵抗と各ラベル端子に接続する複数のホルダー端子とを有し、ラベル導線の導通・非導通の状態変化によって判定回路に与えるホルダー配線部の回路抵抗が変化することを特徴とする盗難防止装置。
【請求項３】
ラベルは基端をラベルホルダーで保持する基材部と、基材部に形成するラベル配線部および接着部とからなり、基材部のラベル破断部に対応する位置にラベルに作用する所定力で破断するミシン目を形成したことを特徴とする請求項１又は２に記載の盗難防止装置。
【請求項４】
ラベルは基端をラベルホルダーで保持する基材部と、基材部に形成するラベル配線部と、ラベル導線を覆って基材部に形成する接着部とからなり、ラベル破断部において接着部とラベル導線の接合力をラベル導線と基材部の接合力よりも大きくしたことを特徴とする請求項１又は２に記載の盗難防止装置。
【請求項５】
ラベルホルダーにラベル破断部を覆う保護部を設けたことを特徴とする請求項１〜４の何れか１項に記載の盗難防止装置。
【請求項６】
ラベルの上層に絶縁部を介してラベル導線を覆う短絡部を設けたことを特徴とする請求項１〜４の何れか１項に記載の盗難防止装置。
【発明の詳細な説明】
【０００１】
【発明の属する技術分野】
本発明は盗難防止装置に関し、展示商品等に取り付けたセンサの変化を検出して警報・通報する技術に係るものである。
【０００２】
【従来の技術】
従来、この種の盗難防止装置においては、商品に取り付けるユニット（センサ）に抵抗器を内蔵し、この抵抗と警報ユニットをワイヤで接続するものがあり、警報ユニットにおいて回路上の特定点における電圧の絶対値を判定回路で判定し、ワイヤの断線、短絡時に起こる電圧の絶対値の変化を検出して警報を発生させるものがある。
【０００３】
また、抵抗を有するタグ（センサ）を商品に貼着し、タグをコネクタおよび導線を介して制御手段に接続するものがあり、微分回路を通して制御手段に流れる電圧の絶対値を測定し、タグの剥離、導線の切断等によって生じる電圧の時間的な変化を検出して警報を発生させるものがある。
【０００４】
先行技術としては特許文献１および２に開示するものがある。
【０００５】
【特許文献１】特開平４−３１１２９９号公報
【０００６】
【特許文献２】特開平７−１２１７７９号公報
【０００７】
【発明が解決しようとする課題】
ところで、タグには基材に印刷等によって回路を形成し、回路中に抵抗を配置するものがある。（特許文献２参照）しかし、基材上に印刷によって形成する抵抗はその抵抗値のばらつきが大きく誤作動の原因となっており、タグの抵抗の変化を監視するコントローラーの回路を抵抗値のばらつきに対応できるものにするか、抵抗値のばらつきを小さくする必要があり、どちらもコスト増の要因となっていた。
【０００８】
本発明は上記した課題を解決するものであり、抵抗値の安定した抵抗をタグに採用して確実な作動を行え、かつタグを低コストで製作できる盗難防止装置を提供することを目的とする。
【０００９】
【課題を解決するための手段】
上記課題を解決するために、請求項１に記載する本発明の盗難防止装置は、コントローラーに接続線を介してタグを接続する繋留式の盗難防止装置において、コントローラーがタグの抵抗の変化を検出する判定回路を有し、タグが対象品に貼着するラベルとラベルを取り替え可能に保持するラベルホルダーとからなり、ラベルがラベル配線部に複数のラベル端子とラベル端子間を導通するラベル導線を有するとともに、ラベルに作用する所定力でラベル導線が破断するラベル破断部を有し、ラベルホルダーが接続線に接続したホルダー配線部にホルダー抵抗と各ラベル端子に接続する複数のホルダー端子とを有し、ラベル導線の導通・非導通の状態変化によって判定回路に与えるホルダー配線部の回路抵抗が変化するものである。
【００１０】
上記した構成により、窃盗行為によって損傷する消耗品的なラベルのラベル配線部に抵抗を配置せず、恒久的に使用するラベルホルダーのホルダー配線部にホルダー抵抗を配置することで、抵抗値の安定した一般的な抵抗器を使用することが可能となる。この結果、抵抗値のばらつきによる誤作動がなくなり、抵抗の変化を検出するコントローラーの判定回路での判定結果の信頼性が向上し、抵抗値のばらつきを考慮する必要がなくなってその構成を簡略化してコストの低減を図れる。
【００１１】
請求項２に記載する本発明の盗難防止装置は、タグが対象品に貼着するラベルとラベルを取り替え可能に保持するラベルホルダーとからなり、ラベルホルダーにコントローラーを収めてなる自鳴式の盗難防止装置において、コントローラーがタグの抵抗の変化を検出する判定回路を有し、ラベルがラベル配線部に複数のラベル端子とラベル端子間を導通するラベル導線を有するとともに、ラベルに作用する所定力でラベル導線が破断するラベル破断部を有し、ラベルホルダーがコントローラと接続するホルダー配線部にホルダー抵抗と各ラベル端子に接続する複数のホルダー端子とを有し、ラベル導線の導通・非導通の状態変化によって判定回路に与えるホルダー配線部の回路抵抗が変化するものである。
【００１２】
請求項３に記載する本発明の盗難防止装置は、ラベルは基端をラベルホルダーで保持する基材部と、基材部に形成するラベル配線部および接着部とからなり、基材部のラベル破断部に対応する位置にラベルに作用する所定力で破断するミシン目を形成したものである。
【００１３】
上記した構成により、ラベルは基材部において強度を確保しており、窃盗行為においてラベルを対象品から剥がすとラベル配線部、接着部は基材部と一体に剥れる。このとき、ラベルに作用する力がラベル破断部に作用すると基材部に設けたミシン目に応力が集中して基材部が破断し、基材部の破断に伴ってラベル配線部のラベル導線が破断する。
【００１４】
請求項４に記載する本発明の盗難防止装置は、ラベルは基端をラベルホルダーで保持する基材部と、基材部に形成するラベル配線部と、ラベル導線を覆って基材部に形成する接着部とからなり、ラベル破断部において接着部とラベル導線の接合力をラベル導線と基材部の接合力よりも大きくしたものである。
【００１５】
上記した構成により、ラベルは基材部において強度を確保しており、窃盗行為においてラベルを対象品から剥がすとラベル配線部、接着部は基材部と一体に剥れる。このとき、ラベルに作用する力がラベル破断部に作用すると、接着部とラベル導線の接合力がラベル導線と基材部の接合力よりも大きいので、ラベル破断部においてラベル導線が基材部から剥離して接着部とともに対象品に貼着した状態で残り、結果としてラベル導線が破断する。
【００１６】
請求項５に記載する本発明の盗難防止装置は、ラベルホルダーにラベル破断部を覆う保護部を設けたものである。
上記した構成により、窃盗行為においてラベルホルダーとラベル破断部との間でラベル導線の短絡を行うことができない。
【００１７】
請求項６に記載する本発明の盗難防止装置は、ラベルの上層に絶縁部を介してラベル導線を覆う短絡部を設けたものである。
上記した構成により、窃盗行為においてラベル導線の短絡を行うためにピン等を挿入すると挿入した全てのピンが短絡部を通して導通し、結果としてラベル導線の異常な短絡が生じて判定回路に与える回路抵抗が変化する。
【００１８】
【発明の実施の形態】
以下、本発明の実施の形態を図面に基づいて説明する。図１〜図２において、盗難防止装置はコントローラー１に接続線２ａ、２ｂを介してタグ３を接続したものであり、コントローラー１には所定数のタグ３は接続するが、各タグ３の構成および作用は同じであるので、本実施の形態では一つのタグ３を例示してその作用を説明する。
【００１９】
コントローラー１は接続線２ａ、２ｂを接続する２Ｐジャック４と、抵抗５を有する基準電圧回路６と、２Ｐジャック４と基準電圧回路６の接続点における電圧を検出電圧として検出し、タグ３の抵抗の変化に追従して変化する検出電圧を判定指標としてタグ３の状態を判定する判定回路７と、判定回路７の指示信号を受けて警報を発報する警報回路８を設けており、発報手段としてはブザー、ランプ等がある。判定回路７は通常の電気回路や集積回路等からなり、回路によってあるいはプログラムによって制御機能を設定するものである。
【００２０】
タグ３は監視対象品に貼着するラベル９とラベル９を取り替え可能に保持するラベルホルダー１０とからなる。図２に示すように、ラベル９は基端をラベルホルダー１０で保持する基材部１１と、基材部１１に形成するラベル配線部１２および接着部１３とからなる。図３〜図４に示すように、ラベル９は所定位置にラベル破断部１４を設定しており、ラベル破断部１４の基材部１１には窃盗行為でラベル９に作用する所定力で破断するミシン目１５を形成している。ラベル配線部１２は４つのラベル端子１６ａ、１６ｂ、１６ｃ、１６ｄとラベル端子１６ａ、１６ｄの間を導通するラベル導線１７ａおよびラベル端子１６ｂ、１６ｃの間を導通するラベル導線１７ｂを有している。
【００２１】
ラベルホルダー１０は接続線２ａ、２ｂに接続したホルダー配線部１８に所定の抵抗値を有するホルダー抵抗１９と各ラベル端子１６ａ、１６ｂ、１６ｃ、１６ｄに接続する複数のホルダー端子２０ａ、２０ｂ、２０ｃ、２０ｄとを有しており、一対のホルダー端子２０ａと２０ｂを接続線２ａ、２ｂに接続し、他の一対のホルダー端子２０ｃ、２０ｄの間にホルダー抵抗１９を接続している。このため、ラベル導線１７ａ、１７ｂの導通・非導通の状態変化によって判定回路７に与えるホルダー配線部１８の回路抵抗が変化する。ラベルホルダー１０のラベル９の挿入口にはラベル９を保持するためのラベルストッパー２１を挿入している。
【００２２】
以下、上記した構成における作用を説明する。タグ３は接続線２ａ、２ｂでコントローラー１に接続し、ラベル９を接着部１３で監視対象品に貼着する。この状態において、基準電圧回路６の電圧は抵抗５とホルダー抵抗１９で分圧され、判定回路７は分電圧を監視状態の検出電圧として検出する。
【００２３】
ラベル９は基材部１１において強度を確保しており、窃盗行為においてラベル９を対象品から剥がすとラベル配線部１２、接着部１３は基材部１１と一体に剥れる。このとき、図５に示すように、ラベル９に作用する力がラベル破断部１４に作用すると基材部１１に設けたミシン目１５に応力が集中して基材部１１が破断し、基材部１１の破断に伴ってラベル配線部１２のラベル導線１７ａ、１７ｂが破断する。
【００２４】
ラベル導線１７ａ、１７ｂが破断すると、判定回路７は抵抗５のみを通した基準電圧回路６の基準電圧を異常状態（窃盗行為が発生した状態）の検出電圧として検出し、タグ３に異常が発生したとして警報回路８に信号を発し、警報回路８が発報する。
【００２５】
このように、窃盗行為によって損傷する消耗品的なラベル９のラベル配線部１２に抵抗を配置せず、恒久的に使用するラベルホルダー１０のホルダー配線部１８にホルダー抵抗１９を配置することで、抵抗値の安定した一般的な抵抗器を使用することが可能となる。この結果、抵抗値のばらつきによる誤作動がなくなり、抵抗の変化を検出するコントローラー１の判定回路７での判定結果の信頼性が向上し、抵抗値のばらつきを考慮する必要がなくなってその構成を簡略化してコストの低減を図れる。
【００２６】
図６〜図７に示すように、ラベル９は基端をラベルホルダー１０で保持する基材部１１と、基材部１１に形成するラベル配線部１２と、ラベル導線１７ａ、１７ｂを覆って基材部１１に形成する接着部１３とで構成し、ラベル破断部１４においてラベル導線１７ａ、１７ｂと基材部１１の間に弱接着もしくは不接着の剥離層２２を形成し、接着部１３とラベル導線１７ａ、１７ｂの接合力をラベル導線１７ａ、１７ｂと基材部１１の接合力よりも大きくすることで破断させることも可能である。
【００２７】
この場合には、窃盗行為によってラベル９に作用する力がラベル破断部１４に作用すると、剥離層２２において接着部１３とラベル導線１７ａ、１７ｂの接合力がラベル導線１７ａ、１７ｂと基材部１１の接合力よりも大きいので、図８に示すように、ラベル破断部１４においてラベル導線１７ａ、１７ｂが基材部１１から剥離して接着部１３とともに対象品に貼着した状態で残り、結果としてラベル導線１７ａ、１７ｂが破断する。
【００２８】
図９に示すように、ラベルホルダー１０はホルダー配線部１８に二つのホルダー抵抗１９、２３を配置することでも構成できる。この場合は、接続線２ａ、２ｂを接続する一対のホルダー端子２０ａ、２０ｂをホルダー配線部１８に設け、一つのホルダー抵抗２３をホルダー端子２０ａ、２０ｂの間に接続し、他のホルダー抵抗１９を一方のホルダー端子２０ａと一方の接続線２ａの間に接続する。ラベル９にはホルダー端子２０ａ、２０ｂに接続する一対のラベル端子１６ａ、１６ｂを設け、ラベル端子１６ａ、１６ｂの間を導通するラベル導線１７ａを設けている。
【００２９】
この構成では、ラベルホルダー１０にラベル９を装着した状態において、基準電圧回路６の電圧は抵抗５と一つのホルダー抵抗１９で分圧され、判定回路７は分電圧を監視状態の検出電圧として検出する。窃盗行為によりラベル９がラベル破断部１４で破断し、基材部１１の破断に伴ってラベル配線部１２のラベル導線１７ａが破断した状態において、基準電圧回路６の電圧は抵抗５と二つのホルダー抵抗１９、２３で分圧され、判定回路７は分電圧を異常状態の検出電圧として検出し、タグ３に異常が発生したとして警報回路８に信号を発し、警報回路８が発報する。
【００３０】
ところで、図１０に示すように、窃盗行為にはラベル９にピン２４を差し込んでラベル導線１７ａを短絡し、ラベル導線１７ａが破断しても回路抵抗を監視状態に維持するものがある。
【００３１】
このため、図１１に示すように、ラベルホルダー１０のラベルストッパー２１に前縁部を延長して保護部２５を形成し、保護部２５でラベル破断部１４を覆う構造とすることで、図１２に示すように、窃盗行為においてラベルホルダー１０とラベル破断部１４との間でラベル導線１７ａを短絡することを防止する。
【００３２】
また、ピン２４による短絡行為を防止する構造としては、図１３〜１８に示すものも有効である。これは、ラベル導線１７ａの先端側を延展させて面状の短絡部２６を形成したものであり、短絡部２６はラベル９の折り返しにより線状のラベル導線１７ａ、１７ｂの全体を覆うことが可能な面積を有している。接着部１３は線状のラベル導線１７ａ、１７ｂに対応する部位に配置し、必要に応じて短絡部２６を覆って防護被覆部２７を配置する。
【００３３】
図１５〜図１８に示すように、使用時にはラベル９を折り返し、ラベル９の上層に絶縁部をなす基材部１１を介して短絡部２６を配置し、短絡部２６でラベル導線１７ａ、１７ｂを覆う。折り返したラベル９をラベルホルダー１０に挿入する。
【００３４】
この構成において、窃盗行為によりラベル導線１７ａ（ラベル端子１６ａ、１６ｄ間）およびラベル導線１７ｂ（ラベル端子１６ｂ、１６ｃ間）の短絡を行うためにピン等を挿入すると挿入した全てのピンが短絡部２６を通して導通することになり、結果としてラベル導線１７ａ、１７ｂの異常な短絡が生じ全てのラベル端子１６ａ、１６ｂ、１６ｃ、１６ｄ間が導通して判定回路７に与える回路抵抗が変化し、異常状態を検出できる。
【００３５】
また、図１９に示すように、窃盗行為においてラベル９を対象品から剥がすと、ラベル９に作用する力がラベル破断部１４に作用し、基材部１１に設けたミシン目１５に応力が集中して基材部１１が破断し、基材部１１の破断に伴ってラベル配線部１２のラベル導線１７ａ、１７ｂが破断する。
【００３６】
また、図２０に示すように、ラベル９のラベル破断部１４においてラベル導線１７ａ、１７ｂと基材部１１の間に弱接着もしくは不接着の剥離層２２を形成することも可能であり、窃盗行為によってラベル９に作用する力がラベル破断部１４に作用すると、ラベル破断部１４においてラベル導線１７ａ、１７ｂが基材部１１から剥離して接着部１３とともに対象品に貼着した状態で残り、結果としてラベル導線１７ａ、１７ｂが破断する。
【００３７】
図２１および図２２は本発明の他の実施の形態を示すものである。上述した構成においてはタグ３とコントローラー１が別体の繋留式の盗難防止装置に適用した場合を説明したが、図２１および図２２に示すように、タグ３のラベルホルダー１０の内部に上述したホルダー配線部１８、コントローラー１の判定回路７、警報回路８および電池２８を格納して自鳴式の盗難防止装置とすることは可能であり、ラベル９は図２１に示すように、前方に伸ばして使用しても良く、ラベルホルダー１０の底部に配置しても良い。また、ラベル９の破断構造は先に述べた何れの構成も適用可能である。
【００３８】
図２３〜図２８は本発明のさらに他の実施の形態における自鳴式の盗難防止装置を示すものである。図２３および図２４に示すように、ラベルホルダー１０は揺動自在に開閉する扉体２９を設けており、ラベルホルダー１０と扉体２９との間にラベル９を挟持する。ラベルホルダー１０は扉体２９で開閉する開口部３０に一対のホルダー端子２０ａ、２０ｂを配置し、内部に上述したホルダー配線部１８、コントローラー１の判定回路７、警報回路８および電池２８を格納している。作用効果は先の実施の形態と同様であり、説明を省略する。
【００３９】
図２５および図２６に示すように、ラベル９は基材部１１の一方の面にラベル配線部１２および防護被覆部２７を形成し、他方の面に接着部１３を形成しており、接着部１３および防護被覆部２７はラベルホルダー１０に挟み込む中央部を除く両側に配置している。ラベル配線部１２はラベル端子１６ａ、１６ｂをラベル９の中央部に配置し、ラベル導線１７ａをラベル９の全周にわたって配置しており、ラベル９の中央部と両側部の間のラベル破断部１４にミシン目１５を設けている。
【００４０】
使用時には、図２７（ラベルホルダー１０の図示を省略）に示すように、ラベルホルダー１０と扉体２９との間にラベル９を挟持し、ラベル９の両側の接着部１３において監視対象品に貼着する。図２８に示すように、窃盗行為によってラベル９に作用する力がラベル破断部１４に作用すると、ラベル破断部１４において基材部１１とともにラベル導線１７ａが破断する。他の作用効果は先の実施の形態と同様であり、説明を省略する。
【００４１】
【発明の効果】
以上のように本発明によれば、窃盗行為によって損傷する消耗品的なラベルのラベル配線部に抵抗を配置せず、恒久的に使用するラベルホルダーのホルダー配線部にホルダー抵抗を配置することで、抵抗値の安定した一般的な抵抗器を使用することが可能となり、抵抗値のばらつきによる誤作動がなくなり、抵抗の変化を検出するコントローラーの判定回路での判定結果の信頼性が向上し、抵抗値のばらつきを考慮する必要がなくなってその構成を簡略化してコストの低減を図れる。ラベルは窃盗行為によりラベルに作用する力でラベル破断部においてラベル導線が破断することで確実に窃盗行為を認知できる。ラベルホルダーにラベル破断部を覆う保護部を設けることやラベルの上層に絶縁部を介してラベル導線を覆う短絡部を設けることで、窃盗行為におけるラベル導線の短絡を防止できる。
【図面の簡単な説明】
【図１】本発明の実施の形態における盗難防止装置の構成を示すブロック図である。
【図２】同盗難防止装置のタグの断面図である。
【図３】同盗難防止装置のラベルの平面図である。
【図４】同盗難防止装置のラベルの断面図である。
【図５】同盗難防止装置のラベルの作用を示す説明図である。
【図６】本発明の他の実施の形態における盗難防止装置のラベルの平面図である。
【図７】同盗難防止装置のラベルの断面図である。
【図８】同盗難防止装置のラベルの作用を示す説明図である。
【図９】本発明の他の実施の形態における盗難防止装置の構成を示すブロック図である。
【図１０】窃盗行為における短絡操作を示す模式図である。
【図１１】本発明の他の実施の形態における盗難防止装置のタグの断面図である。
【図１２】同盗難防止装置における窃盗行為の短絡操作を示す模式図である。
【図１３】本発明の他の実施の形態における盗難防止装置のラベルの平面図である。
【図１４】同盗難防止装置のラベルの断面図である。
【図１５】同盗難防止装置のラベルの使用状態を示す断面図である。
【図１６】同盗難防止装置のラベルの使用時の平面図である。
【図１７】同盗難防止装置のラベルの使用時の下面図である。
【図１８】同盗難防止装置のラベルの装着時の断面図である。
【図１９】同盗難防止装置のラベルの作用を示す説明図である。
【図２０】同盗難防止装置における他のラベルの作用を示す説明図である。
【図２１】本発明の他の実施の形態における盗難防止装置の断面図である。
【図２２】本発明の他の実施の形態における盗難防止装置の断面図である。
【図２３】本発明の他の実施の形態における盗難防止装置の断面図である。
【図２４】同盗難防止装置の下面図である。
【図２５】同盗難防止装置のラベルの断面図である。
【図２６】同盗難防止装置のラベルの平面図である。
【図２７】同盗難防止装置のラベルの使用時の断面図である。
【図２８】同盗難防止装置のラベルの作用を示す説明図である。
【符号の説明】
１　　コントローラー
２ａ、２ｂ　接続線
３　　タグ
４　　２Ｐジャック
５　　抵抗
６　　基準電圧回路
７　　判定回路
８　　警報回路
９　　ラベル
１０　　ラベルホルダー
１１　　基材部
１２　　ラベル配線部
１３　　接着部
１４　　ラベル破断部
１５　　ミシン目
１６ａ、１６ｂ、１６ｃ、１６ｄ　ラベル端子
１７ａ、１７ｂ　ラベル導線
１８　　ホルダー配線部
１９、２３　ホルダー抵抗
２０ａ、２０ｂ、２０ｃ、２０ｄ　ホルダー端子
２１　　ラベルストッパー
２２　　剥離層
２４　　ピン
２５　　保護部
２６　　短絡部
２７　　防護被覆部
２８　　電池
２９　　扉体
３０　　開口部
【図１】
2004139285.tif 000003
【図２】
2004139285.tif 000004
【図３】
2004139285.tif 000005
【図４】
2004139285.tif 000006
【図５】
2004139285.tif 000007
【図６】
2004139285.tif 000008
【図７】
2004139285.tif 000009
【図８】
2004139285.tif 000010
【図９】
2004139285.tif 000011
【図１０】
2004139285.tif 000012
【図１１】
2004139285.tif 000013
【図１２】
2004139285.tif 000014
【図１３】
2004139285.tif 000015
【図１４】
2004139285.tif 000016
【図１５】
2004139285.tif 000017
【図１６】
2004139285.tif 000018
【図１７】
2004139285.tif 000019
【図１８】
2004139285.tif 000020
【図１９】
2004139285.tif 000021
【図２０】
2004139285.tif 000022
【図２１】
2004139285.tif 000023
【図２２】
2004139285.tif 000024
【図２３】
2004139285.tif 000025
【図２４】
2004139285.tif 000026
【図２５】
2004139285.tif 000027
【図２６】
2004139285.tif 000028
【図２７】
2004139285.tif 000029
【図２８】
2004139285.tif 000030